(57)【特許請求の範囲】
【請求項１】
第１袋片の第１縁部と第２袋片の第２縁部とが重なることによって形成された開口縁によって規定された開口部を有する袋体を可逆的に閉じるファスナ構造体であって、
第１位置と前記第１位置から離れた第２位置との間で前記開口縁に沿って移動するスライダと、
前記第１位置と前記第２位置との間で線状に延びるように前記第１袋片の第１内面に形成された第１突条と、前記第１位置と前記第２位置との間で前記第１突条と噛み合うように前記第２袋片の第２内面に形成された第１凹条と、を含んでいる第１接合構造体と、
前記開口縁と前記第１接合構造体との間で、前記第１接合構造体に沿って線状に延びる第２接合構造体と、を備え、
前記スライダが、前記第１位置と前記第２位置との間の第３位置に配置されたとき、前記第２接合構造体は、前記第１位置と前記第３位置との間において、開状態である一方で、前記第２位置と前記第３位置との間において、閉状態であり、
前記スライダが前記第３位置に配置されたとき、前記第１接合構造体は、前記第１位置と前記第２位置との間で閉状態であり、
前記スライダは、前記第１縁部及び前記第２縁部に跨る基片と、前記基片から前記第１袋片の第１外面に沿って延びる第１挟持片と、前記基片から前記第２袋片の第２外面に沿って延びる第２挟持片と、前記第１接合構造体を挟む第１挟持部と、前記第１接合構造体と前記第２接合構造体とを挟む第２挟持部と、を含み、
前記第１挟持部は、前記第１接合構造体を挟む位置において前記第１挟持片から前記第１外面に向けて突出した第１爪部と、前記第１接合構造体を挟む位置において前記第２挟持片から前記第２外面に向けて突出する第２爪部と、を含み、
前記第２挟持部は、前記開口縁から前記第２接合構造体までの領域を挟む位置において前記第１挟持片から前記第１外面に向けて突出した第１リブと、前記開口縁から前記第２接合構造体までの領域を挟む位置において前記第２挟持片から前記第２外面に向けて突出した第２リブと、前記第１接合構造体を挟む位置において前記第１挟持片から前記第１外面に向けて前記第１リブよりも大きく突出した第３爪部と、前記第１接合構造体を挟む位置において前記第２挟持片から前記第２外面に向けて前記第２リブよりも大きく突出する第４爪部と、を含んでいる
ファスナ構造体。
【請求項２】
前記第１突条と前記第１凹条との間の噛み合いは、手動式に解除される
請求項１に記載のファスナ構造体。
【請求項３】
前記スライダは、前記開口部内へ突出する突出片を含み、
前記突出片は、前記第１位置に対向し、前記第１縁部を前記第２縁部から離間させる対向面を含み、
前記第１挟持部は、前記対向面よりも前記第１位置の近くで、前記第１接合構造体を押さえ、前記第１突条と前記第１凹条とを噛み合わせる
請求項１又は２に記載のファスナ構造体。
【請求項４】
前記突出片は、前記対向面から狭まり、頂線を形成するテーパ面を含み、
前記第２接合構造体は、前記第１位置と前記第２位置との間で線状に延びる第２突条と、前記第１位置と前記第２位置との間で前記第２突条と噛み合う第２凹条と、を含み、
前記第２挟持部は、前記頂線よりも前記第２位置の近くで、前記第１接合構造体と前記第２接合構造体とを閉状態にする
請求項３に記載のファスナ構造体。
【請求項５】
前記第２突条と前記第２凹条との間の噛み合いは、前記第１突条と前記第１凹条との噛み合いよりも強い
請求項４に記載のファスナ構造体。
【請求項６】
前記突出片は、前記第１袋片と前記第２袋片との間で前記基片から突出している
請求項３乃至５のいずれか１項に記載のファスナ構造体。
【請求項７】
請求項１乃至６のいずれか１項に記載のファスナ構造体を有する樹脂製の袋体であって、
前記第１袋片と前記第２袋片とを備え、
前記第１袋片は、前記第１外面から突出し、且つ、前記第１接合構造体と前記第２接合構造体との間で、前記第１位置から前記第２位置までの区間において延びる第１案内突条を含み、
前記第２袋片は、前記第２外面から突出し、且つ、前記第１接合構造体と前記第２接合構造体との間で、前記第１位置と前記第２位置までの前記区間において延びる第２案内突条を含み、
前記第１案内突条は、前記第１リブと前記第３爪部との間の第１空隙を通過し、
前記第２案内突条は、前記第２リブと前記第４爪部との間の第２空隙を通過する
袋体。
【請求項８】
前記第１袋片は、前記第１接合構造体、前記第２接合構造体、前記第１案内突条及び前記第２案内突条が形成された領域において、前記第２袋片に溶着される
請求項７に記載の袋体。
【発明の詳細な説明】
【技術分野】
【０００１】
本発明は、袋体を可逆的に閉じるための技術に関する。
【背景技術】
【０００２】
特許文献１乃至４は、袋体を可逆的に閉じるための様々なファスナ構造体を開示する。特許文献１乃至４によれば、スライダが、袋体の開口縁に沿って左方及び右方のうち一方へ変位されると、袋体は開かれる。スライダが、左方及び右方のうち他方へ変位されると袋体は閉じられる。
【先行技術文献】
【特許文献】
【０００３】
【特許文献１】特許第４１７６８２２号公報
【特許文献２】特開２００７−２２３６５１号公報
【特許文献３】特開２００７−２３８１６８号公報
【特許文献４】特開２００８−１４３５６４８号公報
【発明の概要】
【発明が解決しようとする課題】
【０００４】
袋体のいくつかの用途において、袋体が密閉されることが要求されることもある。ファスナ構造体が、袋体を気密に閉じることができるならば、袋体は、袋体内に形成された負圧空間を利用した布団圧縮袋として利用可能である。代替的に、袋体は、食品を衛生的に保存するための保存袋としても利用可能である。
【０００５】
特許文献１乃至４は、袋体を気密に閉じるための様々な技術を提案する。しかしながら、特許文献１乃至４の技術は、袋体の構造を複雑にする。
【０００６】
本発明は、複雑な構造なくして、袋体を気密に閉じることを可能にする技術を提供することを目的とする。
【課題を解決するための手段】
【０００７】
本発明の一局面に係るファスナ構造体は、第１縁部と前記第１縁部に重なる第２縁部とを含む開口縁によって規定された開口部を有する袋体を可逆的に閉じる。ファスナ構造体は、第１位置と前記第１位置から離れた第２位置との間で前記開口縁に沿って移動するスライダと、前記第１位置と前記第２位置との間で線状に延びる第１接合構造体と、前記開口縁と前記第１接合構造体との間で、前記第１接合構造体に沿って線状に延びる第２接合構造体と、を備える。前記スライダが、前記第１位置と前記第２位置との間の第３位置に配置されたとき、前記第２接合構造体は、前記第１位置と前記第３位置との間において、開状態である一方で、前記第２位置と前記第３位置との間において、閉状態である。前記スライダが前記第３位置に配置されたとき、前記第１接合構造体は、前記第１位置と前記第２位置との間で閉状態である。
【０００８】
上記構成によれば、スライダが、第１位置と第２位置との間の第３位置に配置されたとき、第１接合構造体は、第１位置と第２位置との間で閉状態であるので、ファスナ構造体は、複雑な構造なくして、袋体を気密に閉じることができる。
【０００９】
上記構成において、前記第１接合構造体は、前記第１位置と前記第２位置との間で線状に延びる第１突条と、前記第１位置と前記第２位置との間で前記第１突条と噛み合う第１凹条と、を含んでもよい。前記第１突条と前記第１凹条との間の噛み合いは、手動式に解除されてもよい。
【００１０】
上記構成によれば、第２接合構造体は、開口縁と第１接合構造体との間で、第１接合構造体に沿って線状に延びるので、第２接合構造体が開状態にあるとき、袋体を使用する使用者は、第１縁部と第２縁部とを容易に摘むことができる。したがって、第１突条と第１凹条との間の噛み合いは、手動式に且つ容易に解除される。
【００１１】
上記構成において、前記スライダは、前記開口部内へ突出する突出片と、前記第１接合構造体を挟む第１挟持部と、を含んでもよい。前記突出片は、前記突出片は、前記第１位置に対向し、前記第１縁部を前記第２縁部から離間させる対向面を含んでもよい。前記第１挟持部は、前記対向面よりも前記第１位置の近くで、前記第１接合構造体を押さえ、前記第１突条と前記第１凹条とを噛み合わせてもよい。
【００１２】
上記構成によれば、第１挟持部は、対向面よりも第１位置の近くで、第１接合構造体を押さえ、第１突条と第１凹条とを噛み合わせるので、スライダが第１位置に到達したとき、第１接合構造体は、第１位置から第２位置に亘って閉状態となる。したがって、ファスナ構造体は、複雑な構造なくして、袋体を気密に閉じることができる。
【００１３】
上記構成において、前記スライダは、前記第１接合構造体と前記第２接合構造体とを挟む第２挟持部を含んでもよい。前記突出片は、前記対向面から狭まり、頂線を形成するテーパ面を含んでもよい。前記第２接合構造体は、前記第１位置と前記第２位置との間で線状に延びる第２突条と、前記第１位置と前記第２位置との間で前記第２突条と噛み合う第２凹条と、を含んでもよい。前記第２挟持部は、前記頂線よりも前記第２位置の近くで、前記第１接合構造体と前記第２接合構造体とを閉状態にしてもよい。
【００１４】
上記構成によれば、第２挟持部は、頂線よりも第２位置の近くで、第２接合構造体を閉状態にするので、第２接合構造体は、第２位置から第２挟持部までの区間において、閉状態となる。突出片は、対向面から狭まり、頂線を形成するテーパ面を含むので、突出片は、頂線から対向面までの区間において、第１縁部を第２縁部から分離させ、第２突条と第２凹条との間の噛み合いを徐々に解除することができる。したがって、対向面から第１位置までの区間において、第２突条は、第２凹条から分離される。一方、第２挟持部は、頂線よりも第２位置の近くで、第１接合構造体を閉状態にするので、第１突条は、第１位置から第２位置に亘って、第１凹条に噛み合うことができる。したがって、ファスナ構造体は、複雑な構造なくして、袋体を気密に閉じることができる。
【００１５】
上記構成において、前記第２突条と前記第２凹条との間の噛み合いは、前記第１突条と前記第１凹条との噛み合いよりも強くてもよい。
【００１６】
上記構成によれば、前記第２突条と前記第２凹条との間の噛み合いは、前記第１突条と前記第１凹条との噛み合いよりも強いので、袋体は不必要に開かれにくくなる。
【００１７】
本発明の他の局面に係る樹脂製の袋体は、上述のファスナ構造体を有する。袋体は、前記第１縁部を含む第１袋片と、前記第２縁部を有する第２袋片と、を備える。前記第１袋片は、前記第１突条が形成された第１内面と、前記第１内面とは反対側の第１外面と、を含む。前記第２袋片は、前記第１凹条が形成された第２内面と、前記第２内面とは反対側の第２外面と、を含む。前記スライダは、前記第１縁部及び前記第２縁部に跨る基片と、前記基片から前記第１外面に沿って延びる第１挟持片と、前記基片から前記第２外面に沿って延びる第２挟持片と、を含む。前記突出片は、前記第１袋片と前記第２袋片との間で前記基片から突出する。前記第１挟持部は、前記第１挟持片から前記第１外面に向けて突出する第１爪部と、前記第２挟持片から前記第２外面に向けて突出する第２爪部と、を含む。
【００１８】
上記構成によれば、第１挟持部は、第１挟持片から第１外面に向けて突出する第１爪部と、第２挟持片から第２外面に向けて突出する第２爪部と、を含むので、第１突条は、第１凹条に適切に噛み合うことができる。
【００１９】
上記構成において、前記第２挟持部は、前記第１挟持片から前記第１外面に向けて突出する第１リブと、前記第２挟持片から前記第２外面に向けて突出する第２リブと、を含んでもよい。前記第１リブ及び前記第２リブは、前記開口縁から前記第２接合構造体までの領域を挟んでもよい。
【００２０】
上記構成によれば、第１リブ及び第２リブは、開口縁から第２接合構造体までの領域を挟むので、第２突条と第２凹条との間での噛み合い及び分離は、安定的に行われる。
【００２１】
上記構成において、前記第２挟持部は、前記第１挟持片から前記第１外面に向けて突出する第３爪部と、前記第２挟持片から前記第２外面に向けて突出する第４爪部と、を含んでもよい。前記第１接合構造体は、前記第３爪部と前記第４爪部とによって挟まれてもよい。
【００２２】
上記構成によれば、第１接合構造体は、第３爪部と第４爪部とによって挟まれるので、第１突条は、第１凹条に適切に噛み合うことができる。
【００２３】
上記構成において、前記第３爪部は、前記第１リブよりも前記第１挟持片から大きく突出してもよい。前記第４爪部は、前記第２リブよりも前記第２挟持片から大きく突出してもよい。
【００２４】
上記構成によれば、第３爪部は、第１リブよりも第１挟持片から大きく突出し、且つ、第４爪部は、第２リブよりも第２挟持片から大きく突出するので、第１接合構造体の閉状態は、第２接合構造体の閉状態よりも高い信頼性の下で作り出される。
【００２５】
上記構成において、前記第１袋片は、前記第１外面から突出し、且つ、前記第１接合構造体と前記第２接合構造体との間で、前記第１位置から前記第２位置までの区間において延びる第１案内突条を含んでもよい。前記第２袋片は、前記第２外面から突出し、且つ、前記第１接合構造体と前記第２接合構造体との間で、前記第１位置と前記第２位置までの前記区間において延びる第２案内突条を含んでもよい。前記第１案内突条は、前記第１リブと前記第３爪部との間の第１空隙を通過してもよい。前記第２案内突条は、前記第２リブと前記第４爪部との間の第２空隙を通過してもよい。
【００２６】
上記構成によれば、第１案内突条は、第１リブと第３爪部との間の第１空隙を通過し、且つ、第２案内突条は、第２リブと第４爪部との間の第２空隙を通過するので、スライダは、第１案内突条と第２案内突条とによって、第１位置と第２位置との間で適切に案内される。
【００２７】
上記構成において、前記第１袋片は、前記第１接合構造体、前記第２接合構造体、前記第１案内突条及び前記第２案内突条が形成された領域において、前記第２袋片に溶着されてもよい。
【００２８】
上記構成によれば、第１袋片は、第１接合構造体、第２接合構造体、第１案内突条及び第２案内突条が形成された領域において、第２袋片に溶着されるので、第１袋片は、第２袋片から分離しにくくなる。
【発明の効果】
【００２９】
上述の技術は、複雑な構造なくして、袋体を気密に閉じることを可能にする。
【図面の簡単な説明】
【００３０】
【図１Ａ】第１実施形態の袋体の概念的な正面図である。
【図１Ｂ】図１Ａに示される袋体の概念的な平面図である。
【図１Ｃ】図１Ａに示されるＡ−Ａ線に沿う袋体の概念的な断面図である。
【図２】第２実施形態のシート積層体の概略的な部分断面図である。
【図３】第３実施形態のシート積層体の概略的な部分断面図である。
【図４】第４実施形態のスライダの概略的な斜視図である。
【図５】図４に示されるスライダの他の概略的な斜視図である。
【図６】図４に示されるスライダの概略的な底面図である。
【図７】図４に示されるスライダの概略的な左側面図である。
【図８】第５実施形態のシート積層体の概略的な部分断面図である。
【図９Ａ】図８に示されるシート積層体とともに用いられるスライダの概略的な右側面図である。
【図９Ｂ】図９Ａに示されるスライダの概略的な左側面図である。
【図１０】第６実施形態の袋体の概略的な正面図である。
【図１１】第７実施形態のシート積層体の概略的な部分断面図である。
【発明を実施するための形態】
【００３１】
添付の図面を参照して、袋体を可逆的に閉じるための技術に関する様々な実施形態が説明される。「前」、「奥」、「左」、「右」、「上」及び「下」といった方向を表す用語は、説明の明瞭化を目的とする。これらの用語は、以下の実施形態の原理を限定しない。
【００３２】
＜第１実施形態＞
図１Ａは、第１実施形態の袋体１００の概念的な正面図である。図１Ｂは、袋体１００の概念的な平面図である。図１Ｃは、図１Ａに示されるＡ−Ａ線に沿う袋体１００の概念的な断面図である。図１Ａ乃至図１Ｃを参照して、袋体１００が説明される。
【００３３】
図１Ａに示される如く、袋体１００は、シート積層体１１０と、ファスナ構造体２００と、を備える。シート積層体１１０は、上縁１１１と、左縁１１２と、右縁１１３と、を含む。左縁１１２は、上縁１１１の左端から下方に延びる。右縁１１３は、上縁１１１の右端から下方に延びる。
【００３４】
図１Ｂ及び図１Ｃに示される如く、シート積層体１１０は、前フィルムシート１２１と奥フィルムシート１２２と、を含む。前フィルムシート１２１は、奥フィルムシート１２２に積層される。前フィルムシート１２１は、左縁１１２に沿って奥フィルムシート１２２に溶着される。この結果、前フィルムシート１２１と奥フィルムシート１２２との間に左溶着帯１３１が形成される。前フィルムシート１２１は、右縁１１３に沿って奥フィルムシート１２２に溶着される。この結果、前フィルムシート１２１と奥フィルムシート１２２との間に右溶着帯１３２が形成される。
【００３５】
前フィルムシート１２１の上縁１１１が、奥フィルムシート１２２の上縁１１１に重なるように、前フィルムシート１２１は、奥フィルムシート１２２に積層される。図１Ａに示される如く、シート積層体１１０は、上縁１１１に沿う溶着領域を有さない。したがって、図１Ａに示される如く、左溶着帯１３１と右溶着帯１３２との間において、開口領域が規定される。シート積層体１１０は、市販の樹脂製の袋体の製造に用いられる様々な技術によって形成されてもよい。したがって、本実施形態の原理は、シート積層体１１０の特定の構造に限定されない。本実施形態において、第１縁部は、前フィルムシート１２１及び奥フィルムシート１２２のうち一方の上縁１１１によって例示される。第２縁部は、前フィルムシート１２１及び奥フィルムシート１２２のうち他方の上縁１１１によって例示される。開口縁は、前フィルムシート１２１及び奥フィルムシート１２２の上縁１１１によって例示される。開口部は、前フィルムシート１２１及び奥フィルムシート１２２の上縁１１１によって規定される開口領域によって例示される。第１袋片は、前フィルムシート１２１及び奥フィルムシート１２２のうち一方によって例示される。第２袋片は、前フィルムシート１２１及び奥フィルムシート１２２のうち他方によって例示される。
【００３６】
以下の説明において、「左開口端」との用語は、上縁１１１に沿って形成された開口領域の左端を意味する。「右開口端」との用語は、上縁１１１に沿って形成された開口領域の右端を意味する。本実施形態において、第１位置は、右開口端によって例示される。第２位置は、左開口端によって例示される。
【００３７】
ファスナ構造体２００は、開口領域を可逆的に閉じることができる。「可逆的」との用語は、シート積層体１１０の破壊を生ずることなく開口領域を閉じることと、シート積層体１１０の破壊を生ずることなく開口領域を開くことと、の繰り返しが可能であることを意味する。
【００３８】
図１Ａに示される如く、ファスナ構造体２００は、スライダ３００と、上接合構造体４００と、下接合構造体５００と、を含む。スライダ３００は、上縁１１１に沿って、左開口端と右開口端との間で左方及び右方に変位することができる。上接合構造体４００及び下接合構造体５００は、左開口端と右開口端との間で線状に延びる。上接合構造体４００は、下接合構造体５００と上縁１１１との間で形成される。
【００３９】
図１Ｂに示される如く、上接合構造体４００は、前接合部４１０と、奥接合部４２０と、を含む。前接合部４１０は、前フィルムシート１２１に取り付けられる。代替的に、前接合部４１０は、前フィルムシート１２１と一体的に形成されてもよい。奥接合部４２０は、奥フィルムシート１２２に取り付けられる。代替的に、奥接合部４２０は、奥フィルムシート１２２と一体的に形成されてもよい。本実施形態の原理は、前接合部４１０と前フィルムシート１２１との間並びに奥接合部４２０と奥フィルムシート１２２との間で構築される特定の接続構造に限定されない。
【００４０】
図１Ｃに示される如く、下接合構造体５００は、前接合部５１０と、奥接合部５２０と、を含む。前接合部５１０は、前フィルムシート１２１に取り付けられる。代替的に、前接合部５１０は、前フィルムシート１２１と一体的に形成されてもよい。奥接合部５２０は、奥フィルムシート１２２に取り付けられる。代替的に、奥接合部５２０は、奥フィルムシート１２２と一体的に形成されてもよい。本実施形態の原理は、前接合部５１０と前フィルムシート１２１との間並びに奥接合部５２０と奥フィルムシート１２２との間で構築される特定の接続構造に限定されない。
【００４１】
図１Ｂに示される如く、スライダ３００は、右開口端と左開口端との間に配置されている。本実施形態において、第３位置は、図１Ｂに示されるスライダ３００の位置によって例示される。
【００４２】
図１Ｂに示される如く、スライダ３００が、右開口端と左開口端との間に配置されているとき、スライダ３００から右開口端までの区間において、前接合部４１０は、奥接合部４２０から分離している。したがって、上接合構造体４００は、スライダ３００から右開口端までの区間において、開状態となる。一方、スライダ３００から左開口端までの区間において、前接合部４１０は、奥接合部４２０に接合されている。したがって、上接合構造体４００は、スライダ３００から左開口端までの区間において、閉状態となる。
【００４３】
図１Ｃに示されるスライダ３００は、図１Ｂに示されるスライダ３００と同じ水平位置にある。上接合構造体４００と同様に、スライダ３００から左開口端までの区間において、前接合部５１０は、奥接合部５２０に接合されている。上接合構造体４００とは異なり、スライダ３００から右開口端までの区間においても、前接合部５１０は、奥接合部５２０に接合されている。すなわち、下接合構造体５００は、スライダ３００の位置とは無関係に、左開口端から右開口端までの区間に亘って、全体的に閉状態を保つ。
【００４４】
様々な市販の袋体に採用される噛み合い構造は、前接合部４１０，５１０と奥接合部４２０，５２０とに適用可能である。例えば、前接合部４１０及び奥接合部４２０のうち一方は、左開口端と右開口端との間で延びる突条であってもよい。この場合、前接合部４１０及び奥接合部４２０のうち他方は、左開口端と右開口端との間で延びる凹条であってもよい。前接合部５１０及び奥接合部５２０のうち一方は、左開口端と右開口端との間で延びる突条であってもよい。この場合、前接合部５１０及び奥接合部５２０のうち他方は、左開口端と右開口端との間で延びる凹条であってもよい。突条が、凹条に嵌め込まれた区間において、前フィルムシート１２１と奥フィルムシート１２２との間での閉状態が形成される。
【００４５】
＜第２実施形態＞
袋体を設計する設計者は、下接合構造体に様々な構造を与えることができる。第２実施形態において、例示的な下接合構造体が説明される。
【００４６】
図２は、第２実施形態のシート積層体１１０Ａの概略的な部分断面図である。図１Ａ乃至図２を参照して、シート積層体１１０Ａが説明される。
【００４７】
シート積層体１１０Ａは、図１Ａを参照して説明されたシート積層体１１０として利用可能である。シート積層体１１０Ａは、第１フィルムシート１５０と、第２フィルムシート１６０と、を含む。第１フィルムシート１５０は、図１Ｃを参照して説明された前フィルムシート１２１及び奥フィルムシート１２２のうち一方として利用可能である。第２フィルムシート１６０は、前フィルムシート１２１及び奥フィルムシート１２２のうち他方として利用可能である。
【００４８】
第１フィルムシート１５０は、内面１５１と、上突条１５２と、下突条１５３と、を含む。内面１５１は、第２フィルムシート１６０に対向する。上突条１５２は、図１Ｃを参照して説明された左開口端及び右開口端の間で略水平に延びる。下突条１５３は、上突条１５２の下方で、左開口端及び右開口端の間で略水平に延びる。上突条１５２及び下突条１５３は、内面１５１から第２フィルムシート１６０に向けて突出する。したがって、上突条１５２と下突条１５３との間に凹溝１５４が形成される。凹溝１５４は、左開口端及び右開口端の間で略水平に延びる。
【００４９】
上突条１５２は、胴部１５５と、頭部１５６と、を含む。胴部１５５は、内面１５１から頭部１５６へ突出する線状帯である。頭部１５６は、胴部１５５よりも太い線状帯である。下突条１５３は、胴部１５７と、頭部１５８と、を含む。胴部１５７は、内面１５１から頭部１５８へ突出する線状帯である。頭部１５８は、胴部１５７よりも太い線状帯である。したがって、凹溝１５４は、胴部１５５，１５７間で広くなる一方で、頭部１５６，１５８間で狭くなる。上突条１５２及び下突条１５３の組は、図１Ｃを参照して説明された前接合部５１０及び奥接合部５２０のうち一方に対応する。本実施形態において、第１凹条は、上突条１５２と下突条１５３との組によって例示される。
【００５０】
第２フィルムシート１６０は、内面１６１と、突条１６２と、を含む。第２フィルムシート１６０の内面１６１は、第１フィルムシート１５０の内面１５１に対向する。突条１６２は、第２フィルムシート１６０の内面１６１から第１フィルムシート１５０の内面１５１に向けて突出する。
【００５１】
突条１６２は、図１Ｃを参照して説明された左開口端及び右開口端の間で略水平に延び、且つ、凹溝１５４に対向する。突条１６２は、胴部１６３と頭部１６４とを含む。胴部１６３は、内面１６１から頭部１６４へ突出する線状帯である。頭部１６４は、胴部１６３よりも太い線状帯である。突条１６２は、図１Ｃを参照して説明された前接合部５１０及び奥接合部５２０のうち他方に対応する。本実施形態において、第１突条は、突条１６２によって例示される。
【００５２】
突条１６２の頭部１６４は、上突条１５２及び下突条１５３の胴部１５５，１５７によって挟まれる。突条１６２の胴部１６３は、上突条１５２及び下突条１５３の頭部１５６，１５８によって挟まれる。したがって、突条１６２は、上突条１５２と下突条１５３との組に噛み合うことができる。
【００５３】
使用者が、スライダ３００（図１Ａを参照）を左開口端まで移動させると、スライダ３００と右開口端までの距離は長くなる。この結果、上接合構造体４００の前接合部４１０（図１Ｂを参照）は、上接合構造体４００の奥接合部４２０（図１Ｂを参照）から全体的に分離される。この結果、使用者は、上縁１１１と下接合構造体５００との間において、第１フィルムシート１５０（図２を参照）及び第２フィルムシート１６０（図２を参照）を容易に摘むことができる。
【００５４】
上突条１５２、下突条１５３及び突条１６２は、上接合構造体４００（図１Ａを参照）よりも上縁１１１（図１Ａを参照）から離れた下接合構造体５００として利用可能である。使用者が、第１フィルムシート１５０を第２フィルムシート１６０から離すように力を加えると、突条１６２は、凹溝１５４から簡単に離脱することができる。
【００５５】
＜第３実施形態＞
下接合構造体とは異なり、上接合構造体の前接合部は、スライダの変位によって、上接合構造体の奥接合部から分離される。したがって、上接合構造体の前接合部及び奥接合部間の噛み合いは、下接合構造体の前接合部及び奥接合部間の噛み合いよりも強くてもよい。第３実施形態において、第２実施形態に関連して説明された下接合構造体よりも高い噛み合い強度を有する例示的な上接合構造体が説明される。
【００５６】
図３は、第３実施形態のシート積層体１１０Ｂの概略的な部分断面図である。第１実施形態及び第２実施形態の間で共通して用いられる符号は、当該共通の符号が付された要素が、第１実施形態と同一の機能を有することを意味する。したがって、第１実施形態の説明は、これらの要素に援用される。図１Ａ乃至図３を参照して、シート積層体１１０Ｂが説明される。
【００５７】
シート積層体１１０Ｂは、図１Ａを参照して説明されたシート積層体１１０として利用可能である。シート積層体１１０Ｂは、第１フィルムシート１５０Ｂと、第２フィルムシート１６０Ｂと、を含む。第１フィルムシート１５０Ｂは、図１Ｂを参照して説明された前フィルムシート１２１及び奥フィルムシート１２２のうち一方として利用可能である。第２フィルムシート１６０Ｂは、前フィルムシート１２１及び奥フィルムシート１２２のうち他方として利用可能である。
【００５８】
第１実施形態と同様に、第１フィルムシート１５０Ｂは、上縁１１１を含む。第１実施形態の説明は、第１フィルムシート１５０Ｂの上縁１１１に援用される。
【００５９】
第１フィルムシート１５０Ｂは、内面１５１Ｂと、上突条１７１と、下突条１７２と、中間突条１７３と、を更に含む。内面１５１Ｂは、第２フィルムシート１６０Ｂに対向する。上突条１７１は、図１Ｂを参照して説明された左開口端及び右開口端の間で略水平に延びる。下突条１７２は、上突条１７１よりも上縁１１１から離れた位置において、左開口端及び右開口端の間で略水平に延びる。上突条１７１及び下突条１７２と同様に、中間突条１７３は、左開口端及び右開口端の間で略水平に延びる。中間突条１７３は、上突条１７１と下突条１７２との間に形成される。上突条１７１、下突条１７２及び中間突条１７３は、内面１５１Ｂから第２フィルムシート１６０Ｂに向けて突出する。したがって、上突条１７１と中間突条１７３との間に上凹溝１８１が形成される。下突条１７２と中間突条１７３との間に下凹溝１８２が形成される。上凹溝１８１及び下凹溝１８２それぞれは、左開口端及び右開口端の間で略水平に延びる。
【００６０】
上突条１７１は、胴部１７４と、頭部１７５と、を含む。胴部１７４は、内面１５１Ｂから頭部１７５へ突出する線状帯である。頭部１７５は、胴部１７４よりも太い線状帯である。下突条１７２は、胴部１７６と、頭部１７７と、を含む。胴部１７６は、内面１５１Ｂから頭部１７７へ突出する線状帯である。頭部１７７は、胴部１７６よりも太い線状帯である。中間突条１７３は、胴部１７８と、頭部１７９と、を含む。胴部１７８は、内面１５１Ｂから頭部１７７へ突出する線状帯である。頭部１７９は、胴部１７６よりも太い線状帯である。
【００６１】
上凹溝１８１は、胴部１７４，１７８間で広くなる一方で、頭部１７５，１７９間で狭くなる。下凹溝１８２は、胴部１７６，１７８間で広くなる一方で、頭部１７７，１７９間で狭くなる。上突条１７１、下突条１７２及び中間突条１７３の組は、図１Ｂを参照して説明された前接合部４１０及び奥接合部４２０のうち一方に対応する。本実施形態において、第２凹条は、上突条１７１、下突条１７２及び中間突条１７３との組によって例示される。
【００６２】
第１実施形態と同様に、第２フィルムシート１６０Ｂは、上縁１１１を含む。第１実施形態の説明は、第２フィルムシート１６０Ｂの上縁１１１に援用される。
【００６３】
第２フィルムシート１６０Ｂは、内面１６１Ｂと、上突条１９１と、下突条１９２と、を含む。第２フィルムシート１６０Ｂの内面１６１Ｂは、第１フィルムシート１５０Ｂの内面１５１Ｂに対向する。上突条１９１は、第２フィルムシート１６０Ｂの内面１６１Ｂから第１フィルムシート１５０Ｂの内面１５１Ｂに向けて突出する。下突条１９２は、上突条１９１の下方で、第２フィルムシート１６０Ｂの内面１６１Ｂから第１フィルムシート１５０Ｂの内面１５１Ｂに向けて突出する。
【００６４】
上突条１９１は、図１Ｂを参照して説明された左開口端及び右開口端の間で略水平に延び、且つ、上凹溝１８１に対向する。下突条１９２は、図１Ｂを参照して説明された左開口端及び右開口端の間で略水平に延び、且つ、下凹溝１８２に対向する。
【００６５】
上突条１９１は、胴部１９３と頭部１９４とを含む。胴部１９３は、内面１６１Ｂから頭部１９４へ突出する線状帯である。頭部１９４は、胴部１９３よりも太い線状帯である。下突条１９２は、胴部１９５と頭部１９６とを含む。胴部１９５は、内面１６１Ｂから頭部１９６へ突出する線状帯である。頭部１９６は、胴部１９５よりも太い線状帯である。したがって、上突条１９１と下突条１９２との間に凹溝１９７が形成される。中間突条１７３は、凹溝１９７に対向する。上突条１９１及び下突条１９２の組は、図１Ｂを参照して説明された前接合部４１０及び奥接合部４２０のうち他方に対応する。本実施形態において、第２突条は、上突条１９１及び下突条１９２の組によって例示される。
【００６６】
上突条１９１の頭部１９４は、上突条１７１及び中間突条１７３の胴部１７４，１７８によって挟まれる。上突条１９１の胴部１９３は、上突条１７１及び中間突条１７３の頭部１７５，１７９によって挟まれる。したがって、上突条１９１は、上突条１７１と中間突条１７３との組に噛み合うことができる。
【００６７】
下突条１９２の頭部１９６は、下突条１７２及び中間突条１７３の胴部１７６，１７８によって挟まれる。下突条１９２の胴部１９５は、下突条１７２及び中間突条１７３の頭部１７７，１７９によって挟まれる。したがって、下突条１９２は、下突条１７２と中間突条１７３との組に噛み合うことができる。
【００６８】
中間突条１７３の頭部１７９は、上突条１９１及び下突条１９２の胴部１９３，１９５によって挟まれる。中間突条１７３の胴部１７８は、上突条１９１及び下突条１９２の頭部１９４，１９６によって挟まれる。したがって、中間突条１７３は、上突条１９１と下突条１９２との組に噛み合うことができる。
【００６９】
第２実施形態の技術は、１つの凹溝と１つの突条との噛み合い構造である一方で、第３実施形態の技術は、２つの凹溝と２つの突条との噛み合い構造である。したがって、第３実施形態の噛み合い構造は、第２実施形態の噛み合い構造よりも接合強度において強くなる。
【００７０】
＜第４実施形態＞
袋体を設計する設計者は、スライダに様々な構造を与えることができる。第４実施形態において、例示的なスライダが説明される。
【００７１】
図４は、第４実施形態のスライダ３００Ｃの概略的な斜視図である。図１Ｂ、図１Ｃ及び図４を参照して、スライダ３００Ｃが説明される。
【００７２】
スライダ３００Ｃは、図１Ｂ及び図１Ｃを参照して説明されたスライダ３００として利用可能である。スライダ３００Ｃは、外殻体３１０を備える。外殻体３１０は、上外殻片３１１と、前外殻片３１２と、奥外殻片３１３と、を含む。上外殻片３１１は、前フィルムシート１２１及び奥フィルムシート１２２の上縁１１１に跨る。本実施形態において、基片は、上外殻片３１１によって例示される。
【００７３】
図１Ｂ及び図１Ｃに示される如く、前フィルムシート１２１は、内面１２３と、外面１２４と、を含む。内面１２３には、前接合部４１０，５１０が形成される。前外殻片３１２は、内面１２３とは反対側の外面１２４に沿って、上外殻片３１１から下方に延びる。奥フィルムシート１２２は、内面１２５と、外面１２６と、を含む。内面１２５には、奥接合部４２０，５２０が形成される。奥外殻片３１３は、内面１２５とは反対側の外面１２６に沿って、上外殻片３１１から下方に延びる。したがって、前フィルムシート１２１及び奥フィルムシート１２２は、前外殻片３１２と奥外殻片３１３との間を通過する。本実施形態において、第１内面は、内面１２３，１２５のうち一方によって例示される。第２内面は、内面１２３，１２５のうち他方によって例示される。第１外面は、外面１２４，１２６のうち一方によって例示される。第２外面は、外面１２４，１２６のうち他方によって例示される。第１挟持片は、前外殻片３１２及び奥外殻片３１３のうち一方によって例示される。第２挟持片は、前外殻片３１２及び奥外殻片３１３のうち他方によって例示される。
【００７４】
図５は、スライダ３００Ｃの他の概略的な斜視図である。図１Ｂ、図１Ｃ、図４及び図５を参照して、スライダ３００Ｃが説明される。
【００７５】
上外殻片３１１は、下面３１４と、上面３１５と、を含む。下面３１４は、上縁１１１に対向する。下面３１４は、図５に主に現れる。下面３１４とは反対側の上面３１５は、図４に主に現れる。
【００７６】
スライダ３００Ｃは、セパレータ３２０を含む。セパレータ３２０は、全体的に三角柱状である。セパレータ３２０は、上外殻片３１１の下面３１４から突出し、前フィルムシート１２１と奥フィルムシート１２２との間に入り込む。本実施形態において、突出片は、セパレータ３２０によって例示される。
【００７７】
図６は、スライダ３００Ｃの概略的な底面図である。図１Ｂ、図１Ｃ及び図５及び図６を参照して、セパレータ３２０が説明される。
【００７８】
セパレータ３２０は、対向面３２１と、前テーパ面３２２と、奥テーパ面３２３と、下面３２４と、を含む。対向面３２１は、右開口端に対向する。前テーパ面３２２及び奥テーパ面３２３は、対向面３２１から左方に延出し、左開口端に向けて狭まる立体形状を形成する。したがって、前テーパ面３２２と奥テーパ面３２３の左端において、頂線３２５が形成される。下面３２４は、対向面３２１、前テーパ面３２２及び奥テーパ面３２３の下縁によって囲まれる略三角形状の領域を占める。下面３２４は、上接合構造体４００上を通過する。
【００７９】
前フィルムシート１２１の上縁１１１は、頂線３２５において、奥フィルムシート１２２の上縁１１１から分離される。頂線３２５において分離された前フィルムシート１２１は、前テーパ面３２２と前外殻片３１２との間を通過する。頂線３２５によって分離された奥フィルムシート１２２は、奥テーパ面３２３と奥外殻片３１３の間を通過する。前フィルムシート１２１と奥フィルムシート１２２との間の距離は、対向面３２１に近づくにつれて大きくなる。したがって、前接合部４１０は、対向面３２１の周囲において、奥接合部４２０から分離することができる。
【００８０】
前外殻片３１２は、右縁面３１６を含む。奥外殻片３１３は、右縁面３１７を含む。右縁面３１６，３１７は、右開口端に対向する。右縁面３１６，３１７は、対向面３２１よりも右開口端に近い。したがって、スライダ３００Ｃが右開口端に到達したとき（すなわち、右縁面３１６，３１７が右開口端に到達したとき）、前接合部４１０は、対向面３２１から右縁面３１６，３１７までの区間において、奥接合部４２０から分離することとなる。
【００８１】
スライダ３００Ｃは、右挟持部３３０を含む。右挟持部３３０は、セパレータ３２０の下面３２４よりも下方に形成され、下接合構造体５００を挟む。本実施形態において、第１挟持部は、右挟持部３３０によって例示される。
【００８２】
前外殻片３１２は、奥外殻片３１３に対向する内面３１８を含む。奥外殻片３１３は、前外殻片３１２の内面３１８に対向する内面３１９を含む。右挟持部３３０は、前爪３３１と、奥爪３３２と、を含む。前爪３３１は、奥爪３３２に対向する。前爪３３１は、前外殻片３１２の内面３１８から奥爪３３２に向けて（すなわち、前フィルムシート１２１の外面１２４に向けて）突出する。奥爪３３２は、奥外殻片３１３の内面３１９から前爪３３１に向けて（すなわち、奥フィルムシート１２２の外面１２６に向けて）突出する。本実施形態において、第１爪部は、前爪３３１及び奥爪３３２のうち一方によって例示される。第２爪部は、前爪３３１及び奥爪３３２のうち他方によって例示される。
【００８３】
前爪３３１は、右端面３３３を含む。右端面３３３は、前外殻片３１２の右縁面３１６と略面一である。奥爪３３２は、右端面３３４を含む。右端面３３４は、奥外殻片３１３の右縁面３１７と略面一である。下接合構造体５００は、前爪３３１と奥爪３３２とによって挟まれる。したがって、スライダ３００Ｃが右開口端に到達したとき（すなわち、右縁面３１６，３１７が右開口端に到達したとき）、前接合部５１０は、対向面３２１から右開口端において、奥接合部５２０と接合されることとなる。この結果、第１実施形態に関連して説明された如く、右開口端の周囲において、上接合構造体４００は、開状態（すなわち、前接合部４１０が奥接合部４２０から分離した状態）である一方で、下接合構造体５００は、閉状態（すなわち、前接合部５１０が奥接合部５２０に接合された状態）となる。
【００８４】
図７は、スライダ３００Ｃの概略的な左側面図である。図１Ｂ、図１Ｃ、図５乃至図７を参照して、スライダ３００Ｃが更に説明される。
【００８５】
スライダ３００Ｃは、左挟持部３４０を含む。左挟持部３４０は、上挟持構造３５０と、下挟持構造３６０と、を含む。上挟持構造３５０は、上接合構造体４００を挟む。下挟持構造３６０は、下接合構造体５００を挟む。本実施形態において、第２挟持部は、左挟持部３４０によって例示される。
【００８６】
上挟持構造３５０は、前リブ３５１と、奥リブ３５２と、を含む。前リブ３５１は、奥リブ３５２に対向する。前リブ３５１は、前外殻片３１２の内面３１８から奥外殻片３１３の内面３１９に向けて（すなわち、前フィルムシート１２１の外面１２４に向けて）突出する。奥リブ３５２は、奥外殻片３１３の内面３１９から前外殻片３１２の内面３１８に向けて（すなわち、奥フィルムシート１２２の外面１２６に向けて）突出する。本実施形態において、第１リブは、前リブ３５１及び奥リブ３５２のうち一方によって例示される。第２リブは、前リブ３５１及び奥リブ３５２のうち他方によって例示される。
【００８７】
前リブ３５１及び奥リブ３５２は、上外殻片３１１の上面３１５から下方に延びる。前リブ３５１は、下方に向いた下面３５３を含む。奥リブ３５２は、下方に向いた下面３５４を含む。下面３５３，３５４は、下接合構造体５００の上で変位する。したがって、前リブ３５１及び奥リブ３５２は、前フィルムシート１２１及び奥フィルムシート１２２の上縁１１１から上接合構造体４００までの領域を挟むことができる。上接合構造体４００は、前リブ３５１と奥リブ３５２との間の細い空隙を通過する。したがって、前接合部４１０は、前リブ３５１と奥リブ３５２とによって、奥接合部４２０に接合される。
【００８８】
前外殻片３１２は、左縁面３７１を含む。奥外殻片３１３は、左縁面３７２を含む。左縁面３７１，３７２は、左開口端に対向する。前リブ３５１及び奥リブ３５２は、頂線３２５と左縁面３７１，３７２の間に形成される。したがって、頂線３２５よりも左方の区間において、上接合構造体４００は閉状態（すなわち、前接合部４１０が奥接合部４２０に接合された状態）となる。
【００８９】
下挟持構造３６０は、前爪３６１と、奥爪３６２と、を含む。前爪３６１は、奥爪３６２に対向する。前爪３６１は、前外殻片３１２の内面３１８から奥爪３６２に向けて（すなわち、前フィルムシート１２１の外面１２４に向けて）突出する。奥爪３６２は、奥外殻片３１３の内面３１９から前爪３６１に向けて（すなわち、奥フィルムシート１２２の外面１２６に向けて）突出する。したがって、下接合構造体５００は、前爪３６１と奥爪３６２とによって挟まれる。本実施形態において、第３爪部は、前爪３６１及び奥爪３６２のうち一方によって例示される。第４爪部は、前爪３６１及び奥爪３６２のうち他方によって例示される。
【００９０】
前爪３３１は、左端面３６３を含む。左端面３６３は、前外殻片３１２の左縁面３７１と略面一である。奥爪３６２は、左端面３６４を含む。左端面３６４は、奥外殻片３１３の左縁面３７２と略面一である。下接合構造体５００は、前爪３６１と奥爪３６２とによって挟まれる。したがって、スライダ３００Ｃが左開口端に到達したとき（すなわち、左縁面３７１，３７２が左開口端に到達したとき）、前接合部５１０は、左開口端において、奥接合部５２０と適切に接合されることとなる。
【００９１】
前爪３３１は、前リブ３５１よりも前外殻片３１２の内面３１８から大きく突出する。奥爪３３２は、奥リブ３５２よりも奥外殻片３１３の内面３１９から大きく突出する。したがって、下接合構造体５００は、上接合構造体４００よりも強い力で挟まれる。
【００９２】
＜第５実施形態＞
設計者は、スライダを安定的に案内するための機構をシート積層体に与えてもよい。第５実施形態において、スライダを安定的に案内することができる例示的なシート積層体が説明される。
【００９３】
図８は、第５実施形態のシート積層体１１０Ｄの概略的な部分断面図である。第２実施形態、第３実施形態及び第５実施形態の間で共通して用いられる符号は、当該共通の符号が付された要素が、第２実施形態及び／又は第３実施形態と同一の機能を有することを意味する。したがって、第２実施形態及び／又は第３実施形態の説明は、共通の符号が付された要素に援用される。図１Ａ乃至図１Ｃ及び図８を参照して、シート積層体１１０Ｄが説明される。
【００９４】
シート積層体１１０Ｄは、図１Ａを参照して説明されたシート積層体１１０として利用可能である。シート積層体１１０Ｄは、第１フィルムシート１５０Ｄと、第２フィルムシート１６０Ｄと、を含む。第１フィルムシート１５０Ｄは、図１Ｂ及び図１Ｃを参照して説明された前フィルムシート１２１及び奥フィルムシート１２２のうち一方として利用可能である。第２フィルムシート１６０Ｄは、前フィルムシート１２１及び奥フィルムシート１２２のうち他方として利用可能である。
【００９５】
第２実施形態と同様に、第１フィルムシート１５０Ｄは、上突条１５２と下突条１５３と、を含む。第２実施形態の説明は、これらの要素に援用される。
【００９６】
第３実施形態と同様に、第１フィルムシート１５０Ｄは、上縁１１１と、上突条１７１と、下突条１７２と、中間突条１７３と、を更に含む。第３実施形態の説明は、これらの要素に援用される。
【００９７】
第１フィルムシート１５０Ｄは、内面１２３Ｄと、外面１２４Ｄと、案内突条１２７を更に含む。内面１２３Ｄは、第２フィルムシート１６０Ｄに対向する。上突条１５２，１７１、下突条１５３，１７２及び中間突条１７３は、内面１２３Ｄから突出する。案内突条１２７は、内面１２３Ｄとは反対の外面１２４Ｄから突出する。
【００９８】
第２実施形態と同様に、第２フィルムシート１６０Ｄは、突条１６２を含む。第２実施形態の説明は、突条１６２に援用される。
【００９９】
第３実施形態と同様に、第２フィルムシート１６０Ｄは、上突条１９１と、下突条１９２と、を更に含む。第３実施形態の説明は、これらの要素に援用される。
【０１００】
第２フィルムシート１６０Ｄは、内面１２５Ｄと、外面１２６Ｄと、案内突条１２８を更に含む。内面１２３Ｄは、第２フィルムシート１６０Ｄに対向する。突条１６２、上突条１９１及び下突条１９２は、内面１２５Ｄから突出する。案内突条１２８は、内面１２３Ｄとは反対の外面１２４Ｄから突出する。第２フィルムシート１６０Ｄの上縁１１１から案内突条１２８までの距離は、第１フィルムシート１５０Ｄの上縁１１１から案内突条１２７までの距離に略等しい。案内突条１２７，１２８は、右開口端と左開口端との間で略水平に伸びる。本実施形態において、第１案内突条は、案内突条１２７，１２８のうち一方によって例示される。第２案内突条は、案内突条１２７，１２８のうち他方によって例示される。
【０１０１】
図９Ａは、シート積層体１１０Ｄとともに用いられるスライダ３００Ｄの概略的な右側面図である。図９Ｂは、スライダ３００Ｄの概略的な左側面図である。第４実施形態及び第５実施形態の間で共通して用いられる符号は、当該共通の符号が付された要素が、第４実施形態と同一の機能を有することを意味する。したがって、第４実施形態の説明は、共通の符号が付された要素に援用される。図１Ａ、図８乃至図９Ｂを参照して、スライダ３００Ｄが説明される。
【０１０２】
スライダ３００Ｄは、図１Ａを参照して説明されたスライダ３００として利用可能である。第４実施形態と同様に、スライダ３００Ｄは、外殻体３１０と、セパレータ３２０と、右挟持部３３０と、を含む。第４実施形態の説明は、これらの要素に援用される。
【０１０３】
スライダ３００Ｄは、左挟持部３４０Ｄを含む。第４実施形態と同様に、左挟持部３４０Ｄは、下挟持構造３６０を含む。第４実施形態の説明は、下挟持構造３６０に援用される。
【０１０４】
左挟持部３４０Ｄは、上挟持構造３５０Ｄを更に含む。上挟持構造３５０Ｄは、上突条１７１，１９１と下突条１７２，１９２と中間突条１７３とからなる噛み合い構造を挟む。
【０１０５】
上挟持構造３５０Ｄは、前リブ３５１Ｄと、奥リブ３５２Ｄと、を含む。前リブ３５１Ｄは、奥リブ３５２Ｄに対向する。前リブ３５１Ｄは、前外殻片３１２の内面３１８から奥外殻片３１３の内面３１９に向けて突出する。奥リブ３５２Ｄは、奥外殻片３１３の内面３１９から前外殻片３１２の内面３１８に向けて突出する。本実施形態において、第１リブは、前リブ３５１Ｄ及び奥リブ３５２Ｄのうち一方によって例示される。第２リブは、前リブ３５１Ｄ及び奥リブ３５２Ｄのうち他方によって例示される。
【０１０６】
前リブ３５１Ｄ及び奥リブ３５２Ｄは、上外殻片３１１の上面３１５から下方に延びる。前リブ３５１Ｄは、下方に向いた下面３５３Ｄを含む。奥リブ３５２Ｄは、下方に向いた下面３５４Ｄを含む。
【０１０７】
右挟持部３３０の前爪３３１は、上面３３５を含む。右挟持部３３０の奥爪３３２は、上面３３６を含む。下挟持構造３６０の前爪３６１は、上面３６５を含む。下挟持構造３６０の奥爪３６２は、上面３６６を含む。下面３５３Ｄ，３５４Ｄを含む水平面は、上面３３５，３３６，３６５，３６６を含む水平面よりも上方に位置する。上面３３５，３６５と下面３５３Ｄとの組は、案内突条１２７，１２８のうちの一方を挟むことができる。上面３３６，３６６と下面３５４Ｄとの組は、案内突条１２７，１２８のうちの他方を挟むことができる。したがって、スライダ３００Ｄは、案内突条１２７，１２８によって安定的に案内される。本実施形態において、第１空隙及び第２空隙のうち一方は、上面３３５，３６５と下面３５３Ｄとによって挟まれる帯状の空間によって例示される。第１空隙及び第２空隙のうち他方は、上面３３６，３６６と下面３５４Ｄとによって挟まれる帯状の空間によって例示される。
【０１０８】
＜第６実施形態＞
製造者は、２つの樹脂製シートを部分的に溶着し、袋体を製造してもよい。溶着される樹脂の量が多いならば、溶着強度は増大する。この結果、溶着領域の破壊は生じにくくなる。第６実施形態において、溶着領域における破損を引き起こしにくい例示的な構造を有する袋体が説明される。
【０１０９】
図１０は、第６実施形態の袋体１００Ｅの概略的な正面図である。第１実施形態、第５実施形態及び第６実施形態の間で共通して用いられる符号は、当該共通の符号が付された要素が、第１実施形態及び／又は第５実施形態と同一の機能を有することを意味する。したがって、第１実施形態及び／又は第５実施形態の説明は、共通の符号が付された要素に援用される。図８及び図１０を参照して、袋体１００Ｅが説明される。
【０１１０】
袋体１００Ｅは、シート積層体１１０Ｄとスライダ３００Ｄとを備える。第１実施形態に関連して説明された左溶着帯１３１及び右溶着帯１３２は、第１フィルムシート１５０Ｄと第２フィルムシート１６０Ｄとの間に形成される。
【０１１１】
袋体１００Ｅは、上接合構造体４００Ｅと、下接合構造体５００Ｅと、を備える。上接合構造体４００Ｅは、上突条１７１，１９１と下突条１７２，１９２と中間突条１７３とからなる噛み合い構造によって形成される。下接合構造体５００Ｅは、突条１６２、上突条１５２及び下突条１５３からなる噛み合い構造によって形成される。
【０１１２】
左溶着帯１３１は、上接合構造体４００Ｅ、下接合構造体５００Ｅ及び案内突条１２７，１２８の左端領域に重なる。右溶着帯１３２は、上接合構造体４００Ｅ、下接合構造体５００Ｅ及び案内突条１２７，１２８の右端領域に重なる。案内突条１２７，１２８が存在するので、溶着加工において溶融される樹脂の量は多くなる。したがって、第１フィルムシート１５０Ｄと第２フィルムシート１６０Ｄとの間の溶着強度は高くなる。
【０１１３】
＜第７実施形態＞
上接合構造体は、下接合構造体と構造的に同一であってもよい。第７実施形態において、上接合構造体と下接合構造体との間で共通の構造を有する例示的なシート積層体が説明される。
【０１１４】
図１１は、第７実施形態のシート積層体１１０Ｆの概略的な部分断面図である。第５実施形態及び第７実施形態の間で共通して用いられる符号は、当該共通の符号が付された要素が、第５実施形態と同一の機能を有することを意味する。したがって、第５実施形態の説明は、共通の符号が付された要素に援用される。図１Ａ乃至図１Ｃ、図１０及び図１１を参照して、シート積層体１１０Ｆが説明される。
【０１１５】
シート積層体１１０Ｆは、図１Ａを参照して説明されたシート積層体１１０として利用可能である。シート積層体１１０Ｆは、第１フィルムシート１５０Ｆと、第２フィルムシート１６０Ｆと、を含む。第１フィルムシート１５０Ｆは、図１Ｂ及び図１Ｃを参照して説明された前フィルムシート１２１及び奥フィルムシート１２２のうち一方として利用可能である。第２フィルムシート１６０Ｆは、前フィルムシート１２１及び奥フィルムシート１２２のうち他方として利用可能である。
【０１１６】
第５実施形態と同様に、第１フィルムシート１５０Ｆは、上縁１１１と、外面１２４Ｄと、案内突条１２７と、を含む。第５実施形態の説明は、これらの要素に援用される。
【０１１７】
第１フィルムシート１５０Ｆは、上突条１５２と下突条１５３とからそれぞれなる２つの突条組を含む。上側の突条組は、図１０を参照して説明された上接合構造体４００Ｅの一部として利用可能である。下側の突条組は、図１０を参照して説明された下接合構造体５００Ｅの一部として利用可能である。第５実施形態の説明は、上突条１５２及び下突条１５３に援用される。
【０１１８】
第１フィルムシート１５０Ｆは、内面１２３Ｆを更に含む。内面１２３Ｆは、第２フィルムシート１６０Ｆに対向する。上述の２つの突条組は、内面１２３Ｆから、第２フィルムシート１６０Ｆに向けて突出する。
【０１１９】
第５実施形態と同様に、第２フィルムシート１６０Ｆは、上縁１１１と、外面１２６Ｄと、案内突条１２８と、を含む。第５実施形態の説明は、これらの要素に援用される。
【０１２０】
第２フィルムシート１６０Ｆは、２つの突条１６２を含む。第５実施形態の説明は、突条１６２に援用される。
【０１２１】
第２フィルムシート１６０Ｆは、内面１２５Ｆを含む。２つの突条１６２は、内面１２５Ｆから第１フィルムシート１５０Ｆに向けて突出する。上側の突条１６２は、上側の突条組に噛み合う。下側の突条１６２は、下側の突条組に噛み合う。上側の突条は、図１０を参照して説明された上接合構造体４００Ｅの一部として利用可能である。下側の突条は、図１０を参照して説明された下接合構造体５００Ｅとして利用可能である。
【０１２２】
上述の様々な実施形態の原理は、袋体に要求される仕様に適合するように、組み合わされてもよい。
【産業上の利用可能性】
【０１２３】
上述の実施形態の原理は、布団を圧縮する圧縮袋や食品を保存する保存袋といった様々な袋体として好適に利用される。
【符号の説明】
【０１２４】
１００，１００Ｅ・・・・・・・・・・・・・・・・・・・・袋体
１１１・・・・・・・・・・・・・・・・・・・・・・・・・上縁
１２１・・・・・・・・・・・・・・・・・・・・・・・・・前フィルムシート
１２２・・・・・・・・・・・・・・・・・・・・・・・・・奥フィルムシート
１２３，１２３Ｄ・・・・・・・・・・・・・・・・・・・・内面
１２４，１２４Ｄ・・・・・・・・・・・・・・・・・・・・外面
１２５，１２５Ｄ・・・・・・・・・・・・・・・・・・・・内面
１２６，１２６Ｄ・・・・・・・・・・・・・・・・・・・・外面
１２７，１２８・・・・・・・・・・・・・・・・・・・・・案内突条
１５０，１５０Ｂ，１５０Ｄ・・・・・・・・・・・・・・・第１フィルムシート
１５１，１５１Ｂ・・・・・・・・・・・・・・・・・・・・内面
１５２・・・・・・・・・・・・・・・・・・・・・・・・・上突条
１５３・・・・・・・・・・・・・・・・・・・・・・・・・下突条
１５４・・・・・・・・・・・・・・・・・・・・・・・・・凹溝
１６０，１６０Ｂ，１６０Ｄ・・・・・・・・・・・・・・・第２フィルムシート
１６１，１６１Ｂ・・・・・・・・・・・・・・・・・・・・内面
１６２・・・・・・・・・・・・・・・・・・・・・・・・・突条
１７１・・・・・・・・・・・・・・・・・・・・・・・・・上突条
１７２・・・・・・・・・・・・・・・・・・・・・・・・・下突条
１７３・・・・・・・・・・・・・・・・・・・・・・・・・中間突条
１８１・・・・・・・・・・・・・・・・・・・・・・・・・上凹溝
１８２・・・・・・・・・・・・・・・・・・・・・・・・・下凹溝
１９１・・・・・・・・・・・・・・・・・・・・・・・・・上突条
１９２・・・・・・・・・・・・・・・・・・・・・・・・・下突条
１９７・・・・・・・・・・・・・・・・・・・・・・・・・凹溝
２００・・・・・・・・・・・・・・・・・・・・・・・・・ファスナ構造体
３００，３００Ｃ，３００Ｄ・・・・・・・・・・・・・・・スライダ
３１１・・・・・・・・・・・・・・・・・・・・・・・・・上外殻片
３１２・・・・・・・・・・・・・・・・・・・・・・・・・前外殻片
３１３・・・・・・・・・・・・・・・・・・・・・・・・・奥外殻片
３２０・・・・・・・・・・・・・・・・・・・・・・・・・セパレータ
３２１・・・・・・・・・・・・・・・・・・・・・・・・・対向面
３２２・・・・・・・・・・・・・・・・・・・・・・・・・前テーパ面
３２３・・・・・・・・・・・・・・・・・・・・・・・・・奥テーパ面
３２５・・・・・・・・・・・・・・・・・・・・・・・・・頂線
３３０・・・・・・・・・・・・・・・・・・・・・・・・・右挟持部
３３１・・・・・・・・・・・・・・・・・・・・・・・・・前爪
３３２・・・・・・・・・・・・・・・・・・・・・・・・・奥爪
３４０，３４０Ｄ・・・・・・・・・・・・・・・・・・・・左挟持部
３５１，３５１Ｄ・・・・・・・・・・・・・・・・・・・・前リブ
３５２，３５２Ｄ・・・・・・・・・・・・・・・・・・・・奥リブ
３６１・・・・・・・・・・・・・・・・・・・・・・・・・前爪
３６２・・・・・・・・・・・・・・・・・・・・・・・・・奥爪
４００，４００Ｅ・・・・・・・・・・・・・・・・・・・・上接合構造体
５００，５００Ｅ・・・・・・・・・・・・・・・・・・・・下接合構造体
【図１Ａ】
0006695674.tif 000002
【図１Ｂ】
0006695674.tif 000003
【図１Ｃ】
0006695674.tif 000004
【図２】
0006695674.tif 000005
【図３】
0006695674.tif 000006
【図４】
0006695674.tif 000007
【図５】
0006695674.tif 000008
【図６】
0006695674.tif 000009
【図７】
0006695674.tif 000010
【図８】
0006695674.tif 000011
【図９Ａ】
0006695674.tif 000012
【図９Ｂ】
0006695674.tif 000013
【図１０】
0006695674.tif 000014
【図１１】
0006695674.tif 000015